(57)【要約】【課題】踏板を側枠に固定しているボルトが緩むようなことがあっても、踏板を脱落させることなく側枠に保持させ、事故を防止することの出来る足場用階段を提供する。【解決手段】  左右両側一対の側枠１，１間に、踏板本体３の左右両端部に端部キャップ４，４を嵌合固定してなる踏板２を水平に一定間隔おきに横架してなる階段Ｋであって、各踏板２は、各側枠１から挿通したボルト５を各端部キャップ４に設けた雌ねじ部に螺合して締め付けることによって、両側枠１，１に固定される足場用階段Ｋにおいて、各踏板２には、踏板本体３の内部で左右方向移動自在に支持されるシャフト２１と、このシャフト２１の端部を各端部キャップ４の貫通孔２２から突出させて各側枠１の挿通孔２３に挿通させるように付勢するバネ２４と、からなる踏板脱落防止手段１０を設ける。【選択図】図５
2005126936.tif 000002
【特許請求の範囲】
【請求項１】
傾斜状に配置される左右両側一対の側枠間に、踏板本体の左右両端部に断面コ字状の端部キャップを嵌合固定してなる踏板を水平に一定間隔おきに横架してなる階段であって、各踏板は、各側枠から挿通したボルトを端部キャップに設けた雌ねじ部に螺合して締め付けることにより側枠に固定されるようになっている足場用階段において、
各踏板には、踏板本体の内部で左右方向移動自在に支持されるシャフトと、このシャフトの端部を各端部キャップの貫通孔から突出させて各側枠の挿通孔に挿通させるように付勢するバネと、からなる踏板脱落防止手段を設けてなることを特徴とする。
【請求項２】
踏板脱落防止手段は、そのシャフトの基端部側を踏板本体に取り付けたシャフト受け台に軸方向摺動自在に支持させると共に、このシャフト受け台とシャフトの先端部側に突設したストッパーピンとの間にバネを介装し、このバネによりストッパーピンを各端部キャップの内側面に押し付けて、端部キャップの貫通孔から突出したシャフトの先端部を各側枠の挿通孔に挿通させるようにしたことを特徴とする請求項１に記載の足場用階段。
【発明の詳細な説明】
【技術分野】
【０００１】
本発明は、建築作業現場の組立足場に使用される足場用階段に関するものである。
【背景技術】
【０００２】
従来の足場用階段として、公知文献を具体的に挙げることは出来ないが、従来より使用されている階段は、傾斜状に配置される左右両側一対の金属製側枠間に、金属製踏板本体の左右両端部に横断面コ字状の金属製端部キャップを嵌合固定してなる踏板を、水平姿勢にて一定間隔おきに横架してなるもので、各踏板は、側枠から挿通した固定用ボルトを端部キャップに設けた雌ねじ部に螺合して締め付けることによって、両側枠に固定されるようになっている。
【発明の開示】
【発明が解決しようとする課題】
【０００３】
上記のような構成の従来の足場用階段においては、各踏板を側枠に固定しているボルトが緩んだ場合に、踏板が側枠から脱落して大きな事故を招くと云う問題があった。
【０００４】
本発明は、上記の課題に鑑み、踏板を側枠に固定しているボルトが緩むようなことがあっても、踏板を脱落させることなく側枠に保持させて、事故を防止することの出来る足場用階段を提供することを目的とする。
【課題を解決するための手段】
【０００５】
上記課題を解決するための手段を、後述する実施形態の参照符号を付して説明すると、請求項１に係る発明は、傾斜状に配置される左右両側一対の側枠１，１間に、踏板本体３の左右両端部に断面コ字状の端部キャップ４，４を嵌合固定してなる踏板２を水平に一定間隔おきに横架してなる階段Ｋであって、各踏板２は、各側枠１から挿通したボルト５を各端部キャップ４に設けた雌ねじ部６に螺合して締め付けることによって、両側枠１，１に固定されるようになっている足場用階段Ｋにおいて、各踏板２には、踏板本体３の内部で左右方向移動自在に支持されるシャフト２１と、このシャフト２１の端部を各端部キャップ４の貫通孔２２から突出させて各側枠１の挿通孔２３に挿通させるように付勢するバネ２４と、からなる踏板脱落防止手段１０を設けてなることを特徴とする。
【０００６】
請求項２は、請求項１に記載の足場用階段Ｋにおいて、踏板脱落防止手段１０は、そのシャフト２１の基端部側を踏板本体３に取り付けたシャフト受け台２５に軸方向摺動自在に支持させると共に、このシャフト受け台２５とシャフト２１の先端部側に突設したストッパーピン２６との間にバネ２４を介装し、このバネ２４によりストッパーピン２６を各端部キャップ４の内側面に押し付けて、端部キャップ４の貫通孔２２から突出したシャフト２１の先端部を各側枠１の挿通孔２３に挿通させるようにしたことを特徴とする。
【発明の効果】
【０００７】
上記解決手段による発明の効果を、後述する実施形態の参照符号を付して説明すると、請求項１に係る発明によれば、足場用階段Ｋの使用中に、踏板２を側枠１に固定しているボルト５が緩んで外れるようなことがあっても、その踏板２は、踏板２の内部から各側枠１の挿通孔２３に挿通しているシャフト２１により側枠１に保持されて、脱落が防止される。そして特に、この足場用階段Ｋによれば、踏板２を交換する場合には、その踏板２を側枠１に固定しているボルト５を取り外した後、側枠１のボルト挿通孔２３から突出しているシャフト２１をバネ２４の付勢力に抗してボルト挿通孔２３内に押し込むようにすることによって、交換を必要とする踏板２のみを両側枠１，１の間から取り外して、新しい踏板２と簡単に取り替えることが出来る。
【０００８】
請求項２に係る発明によれば、足場用階段Ｋをコンパクトに構成出来ると共に、踏板２への取付施工が簡単容易となる。
【発明を実施するための最良の形態】
【０００９】
以下に本発明の好適な実施形態を図面に基づいて説明すると、図１は本発明に係る足場用階段Ｋの使用状態を示す斜視図、図２は同足場用階段Ｋの側面図、図３の(a) は図２の矢印Ａで囲まれる部分の拡大図、(b) は図２の矢印Ｂで囲まれる部分の拡大図、図４は図２のＸ−Ｘ線拡大断面図である。図５の(a) は踏板２の端部側を示す斜視図、(b) は足場用階段Ｋの要部断面斜視図、(c) は踏板脱落防止手段１０を示す斜視図である。
【００１０】
この足場用階段Ｋは、傾斜状に配置される左右両側一対の側枠１，１に踏板２を側枠１の長手方向に沿って一定間隔おきに水平に横架してなるもので、両側枠１，１の夫々上下両端部には掛止用フック７ａ，７ｂが取り付けられ、各掛止用フック７ａ，７ｂは、図１に示すような枠組足場Ｗの建枠８の横材９に掛止出来るようになっており、また下端側の掛止用フック７ｂは、図３の(b) に示すように床面Ｆ上に安定状態に接地出来るようになっている。
【００１１】
各踏板２は、踏板本体３と、この踏板本体３の左右両端部に嵌合固定される断面コ字状の端部キャップ４，４とからなるもので、各側枠１から挿通したボルト５を各端部キャップ４に取り付けたナット６（雌ねじ部）に螺合して締め付けることによって、両側枠１，１に挟まれた状態で固定されるようになっている。
【００１２】
各踏板２には踏板２の脱落を防止するための踏板脱落防止手段１０が設けられている。この踏板脱落防止手段１０は、踏板本体３内の左右両端部内で夫々左右方向移動自在に支持されるシャフト２１と、このシャフト２１の端部を各端部キャップ４の貫通孔２２から突出させて各側枠１の挿通孔２３に挿通させるように付勢するバネ２４と、から構成される。
【００１３】
上記足場用階段Ｋの構造について更に詳細に説明すると、各側枠１は、図４及び図５に示すような断面略コ字状のアルミニウム合金の押し出し型材からなるもので、コ字状溝部１ｃを外向きにして配置される。尚、図示は省略するが、側枠１には、一定角度傾斜した位置で各踏板２が水平に取り付けられる位置（左右２箇所に）にボルト挿通孔が設けられている。
【００１４】
各踏板２の踏板本体３は、図６の(b) に示すような断面形状のアルミニウム合金の押し出し型材からなるもので、裏面側の前後両側端部及びその中間部に角筒状の補強枠部１１，１１，１２を形成し、同図の(a) に示すように、表面側には前後両側端部及びその中間部に滑り止め用凹凸条部１３，１３，１４を形成すると共に、凹凸条部１３と凹凸条部１４との間には滑り止め用孔部１５がバーリング加工によって形成されている。
【００１５】
端部キャップ４は、図７の(a) 〜(d) から分かるように、外側壁部４ａと上下壁部４ｂ，４ｃとで断面略コ字状に形成されるアルミニウム合金の押し出し型材からなるもので、外側壁部４ａの中央部域が隆起して、その隆起部１６の左右両端部にボルト挿通孔１７，１７が設けてあって、各ボルト挿通孔１７の裏側に前記ナット６が同心状に固着されており、また左右両ボルト挿通孔１７，１７の間には、踏板脱落防止手段１０のシャフト２１，２１を貫通させるシャフト貫通孔２６が左右に二つ並設されている。また、上下各壁部４ｂ，４ｃの両端部にはリベット孔１８が設けられている。
【００１６】
踏板脱落防止手段１０は、図４及び図５の(a) 〜(c) から分かるように、各踏板２の左右両端部側に夫々設けられており、各踏板脱落防止手段１０は、踏板本体３に取り付けられるシャフト受け台２５に一対のシャフト２１，２１の夫々基端部側を軸方向摺動自在に支持させると共に、両シャフト２１，２１の夫々先端部側に突設したストッパーピン２６とシャフト受け台２５との間にコイルバネ２４を介装し、このバネ２４の付勢力によってストッパーピン２６を各端部キャップ４の内側面に押し付けて、端部キャップ４の貫通孔２２から一定長さ突出するシャフト２１の先端部２１を各側枠１の挿通孔２３に挿通させるようにしたものである。
【００１７】
シャフト受け台２５は、図５の(c) に示すように、Ｕ字形部片ａの上端から一対の取付部片ｂ，ｂを水平に突設すると共に、Ｕ字形部片ａの両側面部に円筒部ｃ，ｃを形成してなるもので、両円筒部ｃ，ｃにシャフト２１，２１の基端部側が夫々軸方向摺動自在に挿入されて、各円筒部ｃの一端面と、各シャフト２１の先端部側のストッパーピン２７との間にコイルバネ２４が嵌装され、各シャフト２１の基端部は、直角に折曲されてストッパー部２１ｏを形成し、このストッパー部２１ｏが円筒部ｃの他端面に掛止されている。
【００１８】
上記のように構成される踏板脱落防止手段１０を踏板２に設置するには、図５の(c) に示す状態に組み立てられている踏板脱落防止手段１０を踏板本体３の左右各端部内に挿入して、シャフト受け台２５の取付部片ｂ，ｂを踏板本体３にリベット２７で固定すればよい。シャフト受け台２５の挿入に際しては、踏板本体３の裏面側中央部にある角筒状補強枠部１２の端部を、シャフト受け台２５のＵ字形部片ａが挿入できるように適宜切除するとよい。
【００１９】
上記のように踏板脱落防止手段１０の組立体を踏板本体３の左右各端部内に挿入して、取付け固定した後、踏板本体３の左右両端部に夫々端部キャップ４を嵌合すると共に、各踏板脱落防止手段１０のシャフト２１の先端部を端部キャップ４の貫通孔２２から突出させ、しかしてリベット孔１８を利用して端部キャップ４を踏板本体３にリベット１９結合し、踏板２を組み立てる。こうして踏板２を組み立てた状態を図８の(a) 及び(b) に示す。
【００２０】
この踏板２を側枠１，１に取り付けるには、各側枠１に設けられた踏板取付用のボルト挿通孔（図示せず）から、踏板２の端部キャップ４に取り付けてあるナット６にボルト５を螺入すると共に、各端部キャップ４から突出している踏板脱落防止手段１０のシャフト２１を各側枠１の挿通孔２３に挿通させ、この状態でボルト５を締め付けることにより、各踏板２は、両側枠１，１に挟まれた状態で固定される。この状態を図３、図４及び図５の(a) に示す。
【００２１】
以上説明したように、この発明に係る足場用階段Ｋにおいては、各踏板２に、踏板本体３の内部で左右方向移動自在に支持されるシャフト２１と、このシャフト２１の端部を各端部キャップ４の貫通孔２２から突出させて各側枠１の挿通孔２３に挿通させるように付勢するバネ２４と、からなる踏板脱落防止手段１０を設けているから、足場用階段Ｋの使用中に、踏板２を側枠１に固定しているボルト５が緩んで外れるようなことがあっても、その踏板２は、踏板２の内部から各側枠１の挿通孔２３に挿通しているシャフト２１により側枠１に保持されることになって、脱落が防止される。
【００２２】
また、この足場用階段Ｋによれば、踏板２を交換する場合には、その踏板２を側枠１に固定しているボルト５を取り外した後、側枠１のボルト挿通孔２３から突出しているシャフト２１をバネ２４の付勢力に抗してボルト挿通孔２３内に押し込むようにすることによって、交換を必要とする踏板２のみを両側枠１，１の間から取り外すことが出来て、新しい踏板２と簡単に取り替えることが出来る。
【００２３】
この実施形態では、図５から分かるように、踏板２の各端部キャップ４から突出させて各側枠１の挿入孔２３に挿通させるシャフト２１を踏板２の左右各端部内に２本ずつ設けているが、このシャフト２１は踏板２の左右各端部内に１本ずつ設けてもよい。但し、この実施形態のようにシャフト２１を踏板２の左右各端部内に２本ずつ設けることにより、踏板２を側枠１に固定しているボルト５が緩んで外れた場合、その踏板２は、脱落を防止されるだけでなく、水平姿勢のままで保持されるから、乗っても回転するようなことがなく、きわめて安全である。
【００２４】
またこの実施形態では、側枠１から挿通したボルト５をねじ込むための雌ねじとして、端部キャップ４に開けたボルト挿通孔１７の裏側にナット６を固着しているが、ナット６を使用する代わりに、端部キャップ４のボルト挿通孔をねじ孔としてもよい。その場合、ねじ孔は、バーリング加工によって形成した孔にねじを切るようにするのがよい。
【図面の簡単な説明】
【００２５】
【図１】本発明に係る足場用階段の使用状態を示す斜視図である。
【図２】同足場用階段の側面図である。
【図３】(a) は図２の矢印Ａで囲まれる部分の拡大図、(b) は図２の矢印Ｂで囲まれる部分の拡大図である。
【図４】図２のＸ−Ｘ線拡大断面図である。
【図５】(a) は踏板の端部側を示す斜視図であり、(b) は足場用階段の要部断面斜視図、(c) は踏板脱落防止手段を示す斜視図である。
【図６】(a) は踏板本体を示す平面図、(b) は側面図である。
【図７】(a) は端部キャップの正面図、(b) は平面図、(c) は端面図、(d) は(a) のＹ−Ｙ線拡大断面図である。
【図８】(a) は踏板の平面図、(b) は側面図である。
【符号の説明】
【００２６】
Ｋ          足場用階段
１          側枠
２          踏板
３          踏板本体
４          端部キャップ
５          ボルト
６          ナット（雌ねじ部）
１０        踏板脱落防止手段
２１        シャフト
２２        貫通孔
２３        挿通孔
２４        バネ
【図１】
2005126936.tif 000003
【図２】
2005126936.tif 000004
【図３】
2005126936.tif 000005
【図４】
2005126936.tif 000006
【図５】
2005126936.tif 000007
【図６】
2005126936.tif 000008
【図７】
2005126936.tif 000009
【図８】
2005126936.tif 000010